【手続補正書】
【提出日】平成15年12月17日(2003.12.17)
【手続補正１】
【補正対象書類名】明細書
【補正対象項目名】特許請求の範囲
【補正方法】変更
【補正の内容】
【特許請求の範囲】
【請求項１】
制御手段を有する本体機器と、該本体機器に対し互換的に接続される複数の付属機器とを有し、前記本体機器と前記付属機器との接続を検出し、該検出結果に基づいて本体機器の動作を変更する手段を有する電子機器に於いて、前記本体機器と前記付属機器との接続状態に応じて複数の付属機器を特定させる設定変更手段を有することを特徴とする電子機器。
【請求項２】
前記本体機器の付属機器検出は、本体機器内の制御を可能とする少なくとも３端子の接続により検出されることを特徴とする請求項１に記載の電子機器。
【請求項３】
前記設定変更手段は、本体機器の付属機器検出端子の入出力の設定を変更することを特徴とする請求項１または２に記載の電子機器。
【請求項４】
前記設定変更手段は、予め入力端子と出力端子を決定したことを検出した後、入力端子を出力端子に変更して検出を行うことを特徴とする請求項１乃至３のいずれか１つに記載の電子機器。
【請求項５】
前記設定変更手段は、予め２つの入力端子と１つの出力端子を決定したことを検出した後、１つの入力端子を出力端子に変更して検出を行うことを特徴とする請求項１乃至３のいずれか１つに記載の電子機器。
【請求項６】
前記設定変更手段は、予め２つの入力端子と１つの出力端子を決定したことを検出した後、１つの入力端子を出力端子に変更し、出力端子を入力端子に変更して検出を行うことを特徴とする請求項１乃至３のいずれか１つに記載の電子機器。
【請求項７】
前記設定変更手段は、本体機器の付属機器検出端子の入出力の設定を変更して複数回の検出結果を得た後、その検出結果に基づいて該検出結果を判別することを特徴とする請求項１乃至３のいずれか１つに記載の電子機器。
【請求項８】
カメラ本体に着脱可能な交換レンズで、そのカメラ本体と交換レンズとの間に複数の付属機器を互換的に接続しその付属機器の接続を検出して交換レンズの動作を変更するレンズに於いて、前記レンズ本体と前記付属機器との接続状態に応じてレンズ本体に互換的に接続される複数の付属品を特定させるレンズ端子設定変更手段を有することを特徴とするレンズ。
【請求項９】
前記交換レンズ本体の付属機器検出は、交換レンズ内の制御を行なう交換レンズ内制御手段の少なくとも３端子の接続により検出されることを特徴とする請求項８に記載のレンズ。
【請求項１０】
前記レンズ端子設定変更手段は、交換レンズ端子の入出力の設定を変更することを特徴とする請求項８または９に記載のレンズ。
【請求項１１】
前記レンズ端子設定変更手段は、前記交換レンズで予め入力端子と出力端子を決定したことを検出した後、入力端子を出力端子に変更して検出を行うことを特徴とする請求項８乃至１０のいずれか１つに記載のレンズ。
【請求項１２】
前記レンズ端子設定変更手段は、前記交換レンズで予め入力端子と出力端子を決定したことを検出した後、１つの入力端子を出力端子に変更して検出を行うことを特徴とする請求項８乃至１０のいずれか１つに記載のレンズ。
【請求項１３】
前記レンズ端子設定変更手段は、前記交換レンズで予め入力端子と出力端子を決定したことを検出した後、１つの入力端子を出力端子に変更し、出力端子を入力端子に変更して検出を行うことを特徴とする請求項８乃至１０のいずれか１つに記載のレンズ。
【請求項１４】
前記レンズ端子設定変更手段は、前記交換レンズで付属機器検出端子の入出力の設定を変更して複数回の検出結果を得た後、その検出結果に基づいて該検出結果を判別することを特徴とする請求項８乃至１０のいずれか１つに記載のレンズ。
【請求項１５】
前記付属機器は、交換レンズに接続介装されるエクステンダーまたは中間チューブであることを特徴とする請求項８乃至１４のいずれか１つに記載のレンズ。
【手続補正２】
【補正対象書類名】明細書
【補正対象項目名】００７６
【補正方法】変更
【補正の内容】
【００７６】
また、アクセサリ（交換レンズ）３２内における、４１はアクセサリ（交換レンズ）３２中のフォーカスレンズ、４２は絞り、４４はアクセサリ（交換レンズ）３２内の電気回路部で、電気回路部４４内にはカメラ本体３１との間でシリアル通信を行うための通信手段４６、アクセサリ（交換レンズ）３２内の制御を行うレンズ内ＣＰＵ４７、フォーカスレンズ４１の駆動制御を行うためのレンズ駆動制御部４８、フォーカスレンズ４１を駆動するためのレンズ駆動用モータ４９、さらに絞りの駆動制御を行うための絞り制御部５０、絞り４２を駆動するための絞り駆動用モータ５１が含まれる。


【手続補正３】
【補正対象書類名】明細書
【補正対象項目名】００７８
【補正方法】変更
【補正の内容】
【００７８】
５３は、制御系電源５２の電圧、電力を検出するための制御系電源検出部である。


【手続補正４】
【補正対象書類名】明細書
【補正対象項目名】００７９
【補正方法】変更
【補正の内容】
【００７９】
５４は、シャッター３６、給送チャージ系３７、レンズ駆動制御部４８、絞り制御部５０等の電力消費量が比較的多く必要とする駆動系回路に電力をカメラ本体３１内ＣＰＵ３８の出力により供給するための駆動系電源である。


【手続補正５】
【補正対象書類名】明細書
【補正対象項目名】００９４
【補正方法】変更
【補正の内容】
【００９４】
「ステップ１０８」
「ステップ１０６」で設定したフォーカスレンズ４１の移動量と「ステップ１０７」で設定したフォーカスレンズ４１の最高移動速度以内でフォーカスレンズ４１の移動を開始する命令をアクセサリ（交換レンズ）３２に伝える。


【手続補正６】
【補正対象書類名】明細書
【補正対象項目名】００９５
【補正方法】変更
【補正の内容】
【００９５】
「ステップ１０９」
測距部３５の出力と装着したアクセサリ（交換レンズ）３２の光学情報から、装着したアクセサリ（交換レンズ）３２のフォーカスレンズ４１が合焦位置にあるか否かを確認する。もし合焦位置にあれば、「ステップ１１０」へ進む。合焦位置になければ、「ステップ１０２」へ戻り、再度、測光と測距動作を行う。


【手続補正７】
【補正対象書類名】明細書
【補正対象項目名】００９６
【補正方法】変更
【補正の内容】
【００９６】
「ステップ１１０」
「ステップ１０４」で決定した絞り値まで絞りを駆動する命令をアクセサリ（交換レンズ）３２に伝える。


【手続補正８】
【補正対象書類名】明細書
【補正対象項目名】００９７
【補正方法】変更
【補正の内容】
【００９７】
「ステップ１１１」
「ステップ１０４」で決定したシャッター速度でシャッター制御部３６によりシャッターを開閉する。


【手続補正９】
【補正対象書類名】明細書
【補正対象項目名】００９８
【補正方法】変更
【補正の内容】
【００９８】
「ステップ１１２」
絞りを開放まで駆動する命令をアクセサリ（交換レンズ）３２に伝える。


【手続補正１０】
【補正対象書類名】明細書
【補正対象項目名】００９９
【補正方法】変更
【補正の内容】
【００９９】
「ステップ１１３」
給送制御部３７により不図示のフィルムを一駒分給送する。


【手続補正１１】
【補正対象書類名】明細書
【補正対象項目名】０１００
【補正方法】変更
【補正の内容】
【０１００】
「ステップ１１４」
「ステップ１１３」で給送制御部３７により不図示のフィルムを給送出来ない場合、撮影可能駒が無いとして「ステップ１１５」でフィルムを巻戻し「ステップ１１６」で終了する。撮影可能駒が有る場合は「ステップ１０２」へ戻る。


【手続補正１２】
【補正対象書類名】明細書
【補正対象項目名】符号の説明
【補正方法】変更
【補正の内容】
【符号の説明】
１…本体機器
２…制御手段
３…被制御回路
４…電池
５（５ａ，５ｂ，５ｃ，５ｄ）…付属機器
６…制御部
７，８，１３，１４，１９，２０…保護用ダイオード
９，１５，２１…ＰチャンネルＦＥＴ
１０，１６，２２…抵抗
１１，１７，２３…入力回路
１２，１８，２４…ＮチャンネルＦＥＴ
２５…制御部の他回路への接続
３１…カメラ本体
３２…アクセサリ
３３…電気回路部
３４…測光部
３５…測距部
３６…シャッター
３７…給送チャージ系
４７…アクセサリ（交換レンズ）内ＣＰＵ
４８…レンズ駆動制御部
５０…絞り制御部
３８…カメラ本体内ＣＰＵ
５４…駆動系電源
５５…駆動系電源検出部
５６…スイッチＳＷ１
５７…スイッチＳＷ２
６０（６０ａ，６０ｂ，６０ｃ，６０ｄ）…付属機器
６１…付属機器検出端子ＥＸＴ０
６２…付属機器検出端子ＥＸＴ１
６３…付属機器検出端子ＣＯＭ


【手続補正１３】
【補正対象書類名】図面
【補正対象項目名】図８
【補正方法】変更
【補正の内容】
【図８】
2000147638.tif 000001
【手続補正１４】
【補正対象書類名】図面
【補正対象項目名】図１０
【補正方法】変更
【補正の内容】
【図１０】
2000147638.tif 000002